(57)【要約】【課題】測定装置を用いてラベル貼付面の形状を測定することなく、ラベル貼付面に適した補正処理を、画像データに対して行うことができる画像処理装置を提供する。【解決手段】画像データが印刷されたラベルＬ１が貼付される、形状指数が異なる複数種類のラベル貼付面に対応した、複数種類の補正用画像のなかから選択された、一の補正用画像の種類を示す画像情報を取得する画像情報取得部と、複数種類のラベル貼付面に対応した複数種類の補正処理のなかから、取得された画像情報に基づいて選択された一の補正処理を、画像データに対して行うデータ補正部とを備えた。【選択図】図１０
2017098653.tif 000002
【特許請求の範囲】
【請求項１】
画像データが印刷されたラベルが貼付される、形状指数が異なる複数種類のラベル貼付面に対応した、複数種類の補正用画像のなかから選択された、一の前記補正用画像の種類を示す画像情報を取得する画像情報取得部と、
複数種類の前記ラベル貼付面に対応した複数種類の補正処理のなかから、取得された前記画像情報に基づいて選択された一の前記補正処理を、前記画像データに対して行うデータ補正部と、
を備えたことを特徴とする画像処理装置。
【請求項２】
複数種類の前記補正用画像の種類を示す複数の前記画像情報と、複数種類の前記補正処理の種類を示す複数の補正処理情報と、を関連付けて記憶した情報記憶部と、
取得された前記画像情報と関連付けられた補正処理情報を、前記情報記憶部から取得する補正処理情報取得部と、をさらに備え、
前記データ補正部は、複数種類の前記補正処理のなかから、取得された前記補正処理情報が示す前記補正処理を、前記画像データに対して行うことを特徴とする請求項１に記載の画像処理装置。
【請求項３】
複数種類の前記補正用画像を印刷するための複数種類の補正用画像データを記憶したデータ記憶部、をさらに備えたことを特徴とする請求項１または２に記載の画像処理装置。
【請求項４】
前記データ記憶部は、前記形状指数として曲率が異なる複数種類の前記ラベル貼付面に対応した複数種類の前記補正用画像を印刷するための複数種類の前記補正用画像データを記憶したことを特徴とする請求項３に記載の画像処理装置。
【請求項５】
前記データ補正部は、前記補正処理として、前記画像データのアスペクト比を補正することを特徴とする請求項１ないし４のいずれか一項に記載の画像処理装置。
【請求項６】
補正された前記画像データに基づいて、印刷を行う印刷部、をさらに備えたことを特徴とする請求項１ないし５のいずれか一項に記載の画像処理装置。
【請求項７】
コンピューターを、請求項１ないし６のいずれか一項に記載の画像処理装置として機能させるためのプログラム。
【請求項８】
コンピューターが、
画像データが印刷されたラベルが貼付される、形状指数が異なる複数種類のラベル貼付面に対応した、複数種類の補正用画像のなかから選択された、一の前記補正用画像の種類を示す画像情報を取得するステップと、
複数種類の前記ラベル貼付面に対応した複数種類の補正処理のなかから、取得された前記画像情報に基づいて選択された一の前記補正処理を、前記画像データに対して行うステップと、
を実行することを特徴とする画像処理方法。
【発明の詳細な説明】
【技術分野】
【０００１】
本発明は、画像データの補正を行う画像処理装置、画像処理方法およびプログラムに関するものである。
【背景技術】
【０００２】
従来、印刷画像データが印刷された印刷物が、凹凸部を有する貼付面に貼り付けられた場合の印刷画像の見え方が、平面に貼り付けられた場合の印刷画像の見え方と同じになるように、印刷画像データを生成する画像処理装置が知られている。この画像処理装置は、貼付面の形状を規定する形状データに基づいて、原画像データに対して部分的に拡縮処理を施し、印刷画像データを生成する（特許文献１参照）。
【先行技術文献】
【特許文献】
【０００３】
【特許文献１】特開２００５−１６７４５４号公報
【発明の概要】
【発明が解決しようとする課題】
【０００４】
本発明者は、以下の課題を見出した。
従来の画像処理装置では、印刷画像データに対して拡縮処理を施すための形状データとして、凹凸部の断面形状の輪郭線が用いられる。凹凸部の断面形状の輪郭線は、凹凸部の断面形状を測定する測定装置によって把握されるものである。このため、従来の画像処理装置は、測定装置を用いてラベル貼付面の形状を測定しなければ、画像データを補正することができない。
【０００５】
本発明は、測定装置を用いてラベル貼付面の形状を測定することなく、ラベル貼付面に適した補正処理を、画像データに対して行うことができる画像処理装置、画像処理方法およびプログラムを提供することを課題としている。
【課題を解決するための手段】
【０００６】
本発明の画像処理装置は、画像データが印刷されたラベルが貼付される、形状指数が異なる複数種類のラベル貼付面に対応した、複数種類の補正用画像のなかから選択された、一の補正用画像の種類を示す画像情報を取得する画像情報取得部と、複数種類のラベル貼付面に対応した複数種類の補正処理のなかから、取得された画像情報に基づいて選択された一の補正処理を、画像データに対して行うデータ補正部と、を備えたことを特徴とする。
【０００７】
本発明の画像処理方法は、コンピューターが、画像データが印刷されたラベルが貼付される、形状指数が異なる複数種類のラベル貼付面に対応した、複数種類の補正用画像のなかから選択された、一の補正用画像の種類を示す画像情報を取得するステップと、複数種類のラベル貼付面に対応した複数種類の補正処理のなかから、取得された画像情報に基づいて選択された一の補正処理を、画像データに対して行うステップと、を実行することを特徴とする。
【０００８】
この構成によれば、画像情報が取得されると、取得された画像情報に基づいて選択された補正処理が、画像データに対して行われる。取得された画像情報が示す補正用画像は、複数種類のラベル貼付面のうちの一のラベル貼付面に対応したものである。したがって、本構成によれば、測定装置を用いてラベル貼付面の形状を測定することなく、選択された補正用画像の種類を示す画像情報を取得するという簡易な方法で、ラベル貼付面に適した補正処理を、画像データに対して行うことができる。
【０００９】
上記の画像処理装置において、複数種類の補正用画像の種類を示す複数の画像情報と、複数種類の補正処理の種類を示す複数の補正処理情報と、を関連付けて記憶した情報記憶部と、取得された画像情報と関連付けられた補正処理情報を、情報記憶部から取得する補正処理情報取得部と、をさらに備え、データ補正部は、複数種類の補正処理のなかから、取得された補正処理情報が示す補正処理を、画像データに対して行うことが好ましい。
【００１０】
この構成によれば、画像情報が取得されると、取得された画像情報と関連付けられた補正処理情報が、情報記憶部から取得される。そして、複数種類の補正処理のなかから、取得された補正処理情報が示す補正処理が、画像データに対して行われる。
【００１１】
この場合、複数種類の補正用画像を印刷するための複数種類の補正用画像データを記憶したデータ記憶部、をさらに備えたことが好ましい。
【００１２】
この構成によれば、画像処理装置が補正用画像データを印刷装置に出力し、或いは、画像処理装置が補正用画像データに基づいて印刷することで、複数種類のラベル貼付面に対応した複数種類の補正用画像を印刷することができる。
【００１３】
この場合、データ記憶部は、形状指数として曲率が異なる複数種類のラベル貼付面に対応した複数種類の補正用画像を印刷するための複数種類の補正用画像データを記憶したことが好ましい。
【００１４】
この構成によれば、曲率が異なる複数種類のラベル貼付面に対応した複数種類の補正用画像を印刷することができる。
【００１５】
この場合、データ補正部は、補正処理として、画像データのアスペクト比を補正することが好ましい。
【００１６】
この構成によれば、画像データのアスペクト比を補正することができる。
【００１７】
この場合、補正された画像データに基づいて、印刷を行う印刷部、をさらに備えたことが好ましい。
【００１８】
この構成によれば、補正された画像データに基づいて印刷を行うことができる。
【００１９】
本発明のプログラムは、コンピューターを、上記の画像処理装置として機能させるためのものである。
【図面の簡単な説明】
【００２０】
【図１】本発明の一実施形態に係るテープ印刷装置の外観図である。
【図２】テープ印刷装置のブロック図である。
【図３】画像情報および補正処理情報について説明するための図である。
【図４】制御部の機能構成を示すブロック図である。
【図５】第１補正処理について説明するための図である。
【図６】第２補正処理について説明するための図である。
【図７】第３補正処理について説明するための図である。
【図８】補正用画像が形成された補正用画像形成物を示す図である。
【図９】３種類の補正用画像形成物が曲率の異なる３種類のラベル貼付面に沿わされた状態を示す図である。
【図１０】補正処理に関してテープ印刷装置が行う一連の動作について説明するための図である。
【図１１】補正処理の変形例について説明するための図である。
【発明を実施するための形態】
【００２１】
以下、添付の図面を参照して、本発明に係る画像処理装置の一実施形態であるテープ印刷装置Ｐについて説明する。
【００２２】
図１に基づいて、テープ印刷装置Ｐについて説明する。テープ印刷装置Ｐは、操作パネル１と、ディスプレイ２と、カートリッジ装着部３と、テープ排出口４とを備えている。
【００２３】
操作パネル１は、キャラクターの入力等の各種操作を受け付ける。なお、キャラクターとは、文字、記号、絵文字などを含む概念である。ディスプレイ２は、操作パネル１が受け付けた操作に応じて、所定の表示を行う。カートリッジ装着部３には、テープカートリッジＣが着脱可能に装着される。テープカートリッジＣには、テープＴと、インクリボンＲとが収容されている。カートリッジ装着部３には、印刷ヘッド５が設けられている。印刷ヘッド５は、カートリッジ装着部３にテープカートリッジＣが装着された状態で、操作パネル１が受け付けた操作に応じて発熱駆動する。これにより、インクリボンＲのインクがテープＴに転写され、操作パネル１から入力されたキャラクターがテープＴに印刷される。
【００２４】
印刷されたテープＴは、テープ排出口４から排出される。カートリッジ装着部３とテープ排出口４との間には、カッター６が設けられている。カッター６は、テープＴを幅方向に切断する。これにより、テープＴの印刷済み部分が切り離される。切り離されたテープＴの印刷済み部分は、ラベルＬとして、例えば工場内の配管やケーブル等の周面に貼付される。なお、ラベルＬが貼付される面を、ラベル貼付面Ｆという（図５ないし図７参照）。
【００２５】
図２に基づいて、テープ印刷装置Ｐについてさらに説明する。テープ印刷装置Ｐは、操作パネル１と、ディスプレイ２と、印刷部１０と、表示制御回路７と、印刷制御回路８と、制御部９とを備えている。
【００２６】
印刷部１０は、上記した印刷ヘッド５およびカッター６のほか、カッター６を駆動するカッターモーター、テープＴおよびインクリボンＲを送る駆動源となる送りモーターなどを備えている。表示制御回路７は、制御部９からの制御信号に基づいて、ディスプレイ２を制御する。印刷制御回路８は、制御部９からの制御信号に基づいて、印刷部１０の各構成要素を制御する。
【００２７】
制御部９は、ＣＰＵ９１（Central Processing Unit）と、ＲＡＭ９２（Random Access Memory）と、ＲＯＭ９３（Read Only Memory）とを備えており、テープ印刷装置Ｐ全体を統括制御する。
【００２８】
ＣＰＵ９１は、ＲＯＭ９３内に記憶されたプログラムを読み出し、ＲＡＭ９２を用いて各種演算処理を実行する。
【００２９】
ＲＡＭ９２には、ＣＰＵ９１による演算結果が一時的に格納されるメモリーのほか、テキストメモリー９２１と、印刷バッファー９２２とが設けられている。テキストメモリー９２１には、操作パネル１から入力されたキャラクターのコードデータから成るテキストデータが格納される。印刷バッファー９２２には、テキストメモリー９２１に格納されたテキストデータに対応する画像データ（ここではドットパターンデータ）が展開して格納される。
【００３０】
ＲＯＭ９３は、表示制御プログラム記憶部９３１と、画像データ作成プログラム記憶部９３２と、画像データ補正プログラム記憶部９３３と、印刷制御プログラム記憶部９３４と、データ記憶部９３５と、情報記憶部９３６とを備えている。
【００３１】
表示制御プログラム記憶部９３１には、表示制御プログラムが記憶されている。表示制御プログラムは、操作パネル１に対する操作に応じて、ディスプレイ２を制御するためのプログラムである。
【００３２】
画像データ作成プログラム記憶部９３２には、画像データ作成プログラムが記憶されている。画像データ作成プログラムは、ＲＡＭ９２内のテキストメモリー９２１に格納されたキャラクターについて、印刷に供される画像データを作成するためのプログラムである。
【００３３】
画像データ補正プログラム記憶部９３３には、画像データ補正プログラムが記憶されている。画像データ補正プログラムは、作成された画像データに対して、後述する補正処理を行うためのプログラムである。
【００３４】
印刷制御プログラム記憶部９３４には、印刷制御プログラムが記憶されている。印刷制御プログラムは、１ドット列ごとのドットパターンデータを、印刷部１０に順次出力して、印刷を行うためのプログラムである。
【００３５】
データ記憶部９３５は、後述する３種類の補正用画像Ｂ（図８参照）を印刷するための３種類の補正用画像データを記憶している。情報記憶部９３６は、３つの画像情報と３つの補正処理情報とを関連付けて記憶している。なお、補正用画像Ｂ等の数は、３に限定されるものではなく、２であってもよく、４以上の数であってもよいことは、いうまでもない。
【００３６】
図３に基づいて、画像情報および補正処理情報について説明する。画像情報は、後述する補正用画像形成物Ａ（図８参照）に形成された補正用画像Ｂの種類を示す情報である。補正用画像Ｂとしては、例えば、第１補正用画像Ｂ１、第２補正用画像Ｂ２および第３補正用画像Ｂ３の３種類が用意されている。画像情報「ａ」は第１補正用画像Ｂ１を示し、画像情報「ｂ」は第２補正用画像Ｂ２を示し、画像情報「ｃ」は第３補正用画像Ｂ３を示す。補正用画像Ｂの詳細については、後述する。
【００３７】
一方、補正処理情報は、画像データに対する補正処理の種類を示す情報である。補正処理としては、例えば、第１補正処理、第２補正処理および第３補正処理の３種類が用意されている。補正処理情報「Ａ」は第１補正処理を示し、補正処理情報「Ｂ」は第２補正処理を示し、補正処理情報「Ｃ」は第３補正処理を示す。補正処理の詳細については、後述する。
【００３８】
そして、情報記憶部９３６は、画像情報「ａ」と補正処理情報「Ａ」とを関連付けて記憶している。同様に、情報記憶部９３６は、画像情報「ｂ」と補正処理情報「Ｂ」とを関連付けて記憶している。また、情報記憶部９３６は、画像情報「ｃ」と補正処理情報「Ｃ」とを関連付けて記憶している。
【００３９】
図４に基づいて、制御部９の機能構成について説明する。制御部９は、画像データ作成部９４と、画像情報取得部９５と、補正処理情報取得部９６と、データ補正部９７とを備えている。これらの各機能部は、制御部９を構成するハードウェアと、ＲＯＭ９３に格納された画像データ補正プログラム等のソフトウェアとの協働によって実現される。
【００４０】
画像データ作成部９４は、操作パネル１が受け付けた入力操作に基づいて、画像データを作成する。画像情報取得部９５は、３種類の補正用画像Ｂからユーザーによって選択された補正用画像Ｂの画像情報を取得する。すなわち、画像情報取得部９５は、後述する補正用画像選択画面Ｄ２（図１０参照）におけるユーザーの選択に基づいて、画像情報を取得する。補正処理情報取得部９６は、取得された画像情報と関連付けられた補正処理情報を、情報記憶部９３６から取得する。データ補正部９７は、画像データ作成部９４により作成された画像データに対して、取得された補正処理情報が示す補正処理を行う。
【００４１】
例えば、画像情報取得部９５が画像情報「ａ」を取得した場合、補正処理情報取得部９６は、取得された画像情報と関連付けられた補正処理情報「Ａ」を、情報記憶部９３６から取得する。そして、データ補正部９７は、画像データに対して、３種類の補正処理のなかから、取得された補正処理情報「Ａ」が示す第１補正処理を、画像データに対して行う。
【００４２】
図５ないし図７に基づいて、画像データに対して行われる補正処理について説明する。補正処理は、曲率が異なる３種類のラベル貼付面Ｆに対応して、３種類用意されている。各補正処理は、曲面であるラベル貼付面ＦにラベルＬが貼付される場合に、印刷画像Ｇの歪みを補正するものである。すなわち、各補正処理は、曲面であるラベル貼付面ＦにラベルＬが貼付された場合の印刷画像Ｇの見え方が、平面Ｆａに補正されていない画像データが印刷されたラベルＬが貼付された場合の印刷画像Ｇの見え方と同等になるように、画像データを補正するものである。なお、以下では、補正されていない画像データが印刷されたラベルＬを「非補正ラベルＬ０」といい、非補正ラベルＬ０に印刷された印刷画像Ｇを「非補正画像Ｇ０」という。また、補正された画像データが印刷されたラベルＬを「補正後ラベルＬ１」という。補正後ラベルＬ１に印刷された印刷画像Ｇを「補正後画像Ｇ１」という。
【００４３】
第１補正処理では、図５に示すように、曲率が1/r1であるラベル貼付面Ｆに補正後ラベルＬ１が貼付された場合の補正後画像Ｇ１の見え方が、平面Ｆａに非補正ラベルＬ０が貼付された場合の非補正画像Ｇ０の見え方と同等になるように補正される。すなわち、第１補正処理では、画像データのアスペクト比（横：縦）が、１：Ｓ1（Ｓ1＞１）に補正される。なお、補正前の画像データのアスペクト比は、１：１である。
【００４４】
第２補正処理では、図６に示すように、曲率が1/r2（r2<r1）であるラベル貼付面Ｆに補正後ラベルＬ１が貼付された場合の補正後画像Ｇ１の見え方が、平面Ｆａに非補正ラベルＬ０が貼付された場合の非補正画像Ｇ０見え方と同等になるように補正される。すなわち、第２補正処理では、画像データのアスペクト比が、１：Ｓ2（Ｓ2＞Ｓ1）に補正される。
【００４５】
第３補正処理では、図７に示すように、曲率が1/r3（r3<r2）であるラベル貼付面Ｆに補正後ラベルＬ１が貼付された場合の補正後画像Ｇ１の見え方が、平面Ｆａに非補正ラベルＬ０が貼付された場合の非補正画像Ｇ０見え方と同等になるように補正される。すなわち、第３補正処理では、画像データのアスペクト比が、１：Ｓ3（Ｓ3＞Ｓ2）に補正される。
【００４６】
図８および図９に基づいて、補正用画像形成物Ａおよび補正用画像Ｂについて説明する。補正用画像Ｂが形成されたテープＴを、補正用画像形成物Ａという。補正用画像形成物Ａには、補正用画像Ｂとともに、補正用画像Ｂの種類を示す識別マークＭ（ここでは数字）が印刷されている。補正用画像Ｂは、テープ印刷装置Ｐが、データ記憶部９３５に記憶された補正用画像データを印刷することによって、テープＴに形成される。なお、補正用画像Ｂは、テープ印刷装置Ｐから補正用画像データを受信した、他の印刷装置により印刷されたものでもよい。また、補正用画像形成物Ａは、補正用画像ＢがテープＴに印刷されたものに限らず、例えば単票紙に印刷されたものであってもよい。ユーザーは、予め用意された補正用画像形成物Ａを用いてもよく、補正用画像Ｂを手書きすることにより補正用画像形成物Ａを作成してもよい。
【００４７】
補正用画像Ｂは、非等間隔に並んだ複数の指標Ｂａを有している。補正用画像Ｂは、３種類の補正処理に対応した曲率の異なる３種類のラベル貼付面Ｆに応じて、３種類用意されている。すなわち、第１補正用画像Ｂ１は、曲率が1/r1のラベル貼付面Ｆに補正用画像形成物Ａが沿わされた場合に、複数の指標Ｂａが等間隔に並んで見えるものである。なお、補正用画像形成物Ａは、複数の指標Ｂａの並び方向がラベル貼付面Ｆの周方向と一致するように、沿わされる。同様に、第２補正用画像Ｂ２は、曲率が1/r2のラベル貼付面Ｆに補正用画像形成物Ａが沿わされた場合に、複数の指標Ｂａが等間隔に並んで見えるものである。また、第３補正用画像Ｂ３は、曲率が1/r3のラベル貼付面Ｆに補正用画像形成物Ａが沿わされた場合に、複数の指標Ｂａが等間隔に並んで見えるものである。
【００４８】
図１０に基づいて、補正処理に関してテープ印刷装置Ｐが行う一連の動作について説明する。
【００４９】
テープ印刷装置Ｐは、操作パネル１に対して印刷実行の操作が行われると、補正要否選択画面Ｄ１をディスプレイ２に表示する。補正要否選択画面Ｄ１には、「画像の歪み補正を実行しますか？」とのメッセージとともに、「はい」および「いいえ」の選択肢が表示される。
【００５０】
補正要否選択画面Ｄ１において、「はい」が選択されると、テープ印刷装置Ｐは、補正用画像選択画面Ｄ２をディスプレイ２に表示する。補正要否選択画面Ｄ１において、「いいえ」が選択されると、テープ印刷装置Ｐは、補正用画像選択画面Ｄ２をディスプレイ２に表示することなく、補正されていない画像データに基づいて、印刷を実行する。
【００５１】
補正用画像選択画面Ｄ２には、「等間隔に見えた補正用画像はどれですか？」とのメッセージとともに、「第１補正用画像」、「第２補正用画像」および「第３補正用画像」の選択肢が表示される。
【００５２】
ここで、ユーザーは、３種類の補正用画像形成物Ａをラベル貼付面Ｆに沿わせた場合に、３種類の補正用画像のなかから、複数の指標Ｂａが最も等間隔に並んで見えた補正用画像Ｂを選択する。そして、ユーザーは、選択した補正用画像Ｂに対応する選択肢を、補正用画像選択画面Ｄ２において選択する。そして、画像情報取得部９５は、補正用画像選択画面Ｄ２において選択された選択肢に基づいて、画像情報を取得する。
【００５３】
補正用画像選択画面Ｄ２において、「第１補正用画像」が選択されると、画像情報取得部９５が、画像情報「ａ」を取得する。この場合、上述したように、補正処理情報取得部９６が情報記憶部９３６から補正処理情報「Ａ」を取得し、データ補正部９７が画像データに対して第１補正処理を行う。これにより、アスペクト比が１：Ｓ1に補正された補正後画像Ｇ１が印刷された補正後ラベルＬ１が得られる。補正用画像選択画面Ｄ２において、「第２補正用画像」が選択されると、以下同様にして、アスペクト比が１：Ｓ2に補正された補正後画像Ｇ１が印刷された補正後ラベルＬ１が得られる。また、補正用画像選択画面Ｄ２において、「第３補正用画像」が選択されると、アスペクト比が１：Ｓ3に補正された補正後画像Ｇ１が印刷された補正後ラベルＬ１が得られる。
【００５４】
ここで、３種類の補正用画像形成物Ａをラベル貼付面Ｆに沿わせた場合に、複数の指標Ｂａが最も等間隔に並んで見えた補正用画像Ｂが、例えば、第１補正用画像Ｂ１であるとすると、ラベル貼付面Ｆの曲率が、凡そ1/r1であることになる。また、この場合、ユーザーが、補正用画像選択画面Ｄ２において第１補正用画像Ｂ１を選択するため、アスペクト比が１：Ｓ1に補正された補正後画像Ｇ１が印刷された補正後ラベルＬ１が得られる。したがって、得られた補正後ラベルＬ１が、曲率が凡そ1/r1であるラベル貼付面Ｆに貼付されると、その補正後画像Ｇ１の見え方は、平面Ｆａに非補正ラベルＬ０が貼付された場合の非補正画像Ｇ０の見え方と同等になる。
【００５５】
以上のように、本実施形態のテープ印刷装置Ｐは、画像情報取得部９５と、データ補正部９７とを備えている。画像情報取得部９５は、曲率が異なる３種類のラベル貼付面Ｆに対応した、３種類の補正用画像Ｂのなかから選択された、一の補正用画像Ｂの種類を示す画像情報を取得する。データ補正部９７は、３種類のラベル貼付面Ｆに対応した３種類の補正処理のなかから、取得された画像情報に基づいて選択された一の補正処理を、画像データに対して行う。
この構成によれば、画像情報が取得されると、取得された画像情報に基づいて選択された補正処理が、画像データに対して行われる。取得された画像情報が示す補正用画像Ｂは、３種類のラベル貼付面Ｆのうちの一のラベル貼付面Ｆに対応したものである。したがって、本構成によれば、測定装置を用いてラベル貼付面Ｆの形状を測定することなく、選択された補正用画像Ｂの種類を示す画像情報を取得するという簡易な方法で、ラベル貼付面Ｆに適した補正処理を、画像データに対して行うことができる。
【００５６】
また、本実施形態のテープ印刷装置Ｐは、情報記憶部９３６と、補正処理情報取得部９６とをさらに備えている。情報記憶部９３６は、３種類の補正用画像Ｂの種類を示す３つの画像情報と、３種類の補正処理の種類を示す３つの補正処理情報と、を関連付けて記憶している。補正処理情報取得部９６は、取得された画像情報を関連付けられた補正処理情報を、情報記憶部９３６から取得する。そして、データ補正部９７は、３種類の補正処理のなかから、取得された補正処理情報が示す補正処理を、画像データに対して行う。
この構成によれば、画像データが取得されると、取得された画像情報と関連付けられた補正処理情報が、情報記憶部９３６から取得される。そして、３種類の補正処理のなかから、取得された補正処理情報が示す補正処理が、画像データに対して行われる。
【００５７】
また、本実施形態のテープ印刷装置Ｐは、３種類の補正用画像Ｂを印刷するための３種類の補正用画像データを記憶したデータ記憶部９３５をさらに備えている。
この構成によれば、テープ印刷装置Ｐが、補正用画像データに基づいてテープＴに印刷を行うことで、３種類のラベル貼付面Ｆに対応した３種類の補正用画像Ｂを印刷することができる。
【００５８】
また、本実施形態のテープ印刷装置Ｐでは、データ記憶部９３５が、曲率が異なる３種類のラベル貼付面Ｆに対応した３種類の補正用画像Ｂを印刷するための３種類の補正用画像データを記憶している。
この構成によれば、曲率が異なる３種類のラベル貼付面Ｆに対応した３種類の補正用画像Ｂを印刷することができる。
【００５９】
また、本実施形態のテープ印刷装置Ｐでは、データ補正部９７が、補正処理として、画像データのアスペクト比を補正する。
この構成によれば、画像データのアスペクト比を補正することができる。
【００６０】
また、本実施形態のテープ印刷装置Ｐは、補正された画像データに基づいて、印刷を行う印刷部１０をさらに備えている。
この構成によれば、補正された画像データに基づいて印刷を行うことができる。
【００６１】
本発明は上記した実施形態に限定されず、その趣旨を逸脱しない範囲で種々の構成を採用可能であることは言うまでもない。例えば、本実施形態は、以下のような形態に変更することができる。
【００６２】
データ補正部９７は、画像データのアスペクト比を補正する補正処理、すなわち画像データを均一に拡大する補正処理に限らず、例えば、図１１に示すように、ドットパターンデータの端部に行くほど、すなわち矢印Ｅの方向に行くほど画像データの拡大率が高くなる補正処理を行ってもよい。また、この場合、データ補正部９７は、拡大が掛かる方向が異なる複数パターン（ここでは６パターン）の補正処理を行ってもよい。これにより、補正後ラベルＬ１が貼付される位置に適した補正処理を行うことができる。例えば、視認方向において、ラベル貼付面Ｆ（配管等の周面）の中央より上方に補正後ラベルＬ１が貼付される場合には、パターン２の補正処理を行えばよい。
【００６３】
データ補正部９７は、曲率が異なる複数種類のラベル貼付面Ｆに対応した複数種類の補正処理のほか、データ補正部９７は、ラベルＬの視認方向に対する傾斜角度が異なる複数種類のラベル貼付面Ｆに対応した補正処理を行ってもよい。また、ラベルＬが角部に貼付される場合の角部の角度が異なる複数種類のラベル貼付面Ｆに対応した複数種類の補正処理を行ってもよい。すなわち、ラベル貼付面Ｆの「形状指数」とは、曲率、ラベルＬの視認方向に対する傾斜角度、ラベルＬが角部に貼付される場合の角部の角度などを含む概念である。
【００６４】
データ補正部９７は、画像データのアスペクト比を補正する代わりに、画像データに対して台形補正を行ってもよい。すなわち、データ補正部９７は、ラベルＬの視認方向に対する傾斜角度が異なる複数種類のラベル貼付面Ｆに対応した複数種類の台形補正のなかから、取得された画像情報に基づいて選択された一の台形補正を、画像データに対して行ってもよい。この場合、複数種類の補正用画像Ｂとしては、例えば、見る角度によって色彩が変化するホログラム画像を用いることができる。これにより、補正後ラベルＬ１の視認方向に対するラベル貼付面Ｆの傾斜角度に適した台形補正を、画像データに対して行うことができる。
さらに、データ補正部９７は、アスペクト比の補正や台形補正のほか、例えば、平面射影変換を用いて、画像データを補正してもよい。
【００６５】
本発明の画像処理装置は、本実施形態のテープ印刷装置Ｐのように、印刷部１０を備えたものに限定されるものではなく、補正した画像データを、他の印刷装置等に出力する構成であってもよい。
【００６６】
本発明は、パソコンやスマートデバイスなどのコンピューターを、本実施形態のテープ印刷装置※のように機能させるためのプログラム（上記の画像データ補正プログラムを含む）、およびそのプログラムを記録した記録媒体（ＣＤ−ＲＯＭ、フラッシュメモリー等）として提供することも可能である。
【符号の説明】
【００６７】
２…ディスプレイ、Ｄ１…補正要否選択画面、Ｄ２…補正用画像選択画面、Ｇ１…補正後画像、Ｌ１…補正後ラベル
【図１】
2017098653.tif 000003
【図２】
2017098653.tif 000004
【図３】
2017098653.tif 000005
【図４】
2017098653.tif 000006
【図５】
2017098653.tif 000007
【図６】
2017098653.tif 000008
【図７】
2017098653.tif 000009
【図８】
2017098653.tif 000010
【図９】
2017098653.tif 000011
【図１０】
2017098653.tif 000012
【図１１】
2017098653.tif 000013